Podtech/llm-jp-corpus-v4-ja_patent huggingface dataset:
(57)【要約】【課題】  花卉の球根の定植作業などの手作業に適したメジャー付き長手袋を提供する。【解決手段】  長手袋本体の指先端部位置から手首方向に至る面に、一定間隔の印を設けた。また、前記印を、人差指部の側面位置にさらに設けた。長手袋本体の素材には合成ゴムなどが使用され、印には目盛りが使用され、長手袋本体に予め印刷されるか或いは合成樹脂フイルムに目盛りを印刷したものを用いて貼着する。そして花卉の球根の定植作業などの手作業の際に定植位置の確認に使用できる。 【選択図】      図１
0003132420.tif 000002
【実用新案登録請求の範囲】
【請求項１】
指先端部位置から手首方向に至る面に、一定間隔の印を設けたことを特徴とするメジャー付き長手袋。
【請求項２】
前記印を、人差指部の側面位置にさらに設けたことを特徴とする請求項１記載のメジャー付き長手袋。
【考案の詳細な説明】
【技術分野】
【０００１】
本考案は、農作業などの手作業に最適なメジャー付き長手袋に関するものである。
【背景技術】
【０００２】
従来より、花卉の球根などの定植作業を行なう際には、例えば幅１３０ｃｍの畝の長手方向に６列の溝を掘って、２人の作業者が同時に定植作業を行なっている。この際上記の畝を挟んで各自がそれぞれ３列の溝を担当して、定植用の印を付けた長さ２〜３ｍの板を使用して、この印に合わせて球根を植え付けを行なう方法がとられている。
【０００３】
しかしながら、作業者の熟練度に差がある場合、一方の作業者が上記の長さの板を使用して植え付け作業を済ませても、他方の作業者の作業が終了するのを待つ必要があり、再度板を移動させて作業を再開するまでに時間のロスを生じ非常に効率が悪かった。
【０００４】
そこで、衣服にメジャーを設けたメジャー付き衣服が提案されている（特許文献１参照。）。
【０００５】
【特許文献１】特開２００１−１３１８０８号公報
【考案の開示】
【考案が解決しようとする課題】
【０００６】
しかし、上記の特許文献１に記載されているメジャー付き衣服は、物の寸法を測定するために衣服の袖などにメジャーを設けたものであり、巻尺などを使用することなく測定作業を容易にするという特徴があるが、両手を使って作業する農作業では測定毎に作業が中断し使いづらいと共に、作業効率が低下するという問題点があった。
【０００７】
本考案は、上記問題点に鑑みなされたものであり、花卉の球根等の定植作業など両手を使用する農作業であっても、容易に球根の植え付け間隔の確認ができるメジャー付き長手袋を提供することを目的とするものである。
【課題を解決するための手段】
【０００８】
このため本考案のメジャー付き長手袋は、指先端部位置から手首方向に至る面に、一定間隔の印を設けたことをを第１の特徴とする。
【０００９】
また、前記印を、人差指部の側面位置にさらに設けたことを第２の特徴とする。
【考案の効果】
【００１０】
本考案のメジャー付き長手袋は、以上のように構成されているので次のような優れた効果を有する。
（１）指先端部位置から手首方向に至る面に、一定間隔の印を設けたため、巻尺や寸法確認用の板などを使用せずに容易に球根の植え付け間隔の確認ができるという効果がある。
（２）印を、人差指部の側面位置にさらに設けたため、狭い間隔を測定する際に利用しやすいという効果がある。
（３）長手袋の指先端部位置から手首方向に至る面、或いは人差指部の側面位置に印を設けたため、農作業などの手作業をしながらが球根の植え付け間隔の確認ができるできるという優れた効果がある。
【考案を実施するための最良の形態】
【００１１】
以下、本考案の実施の形態を、図面に示す実施例に基づいて説明するが、本考案が本実施例に限定されないことは言うまでもない。図１は、本考案に係るメジャー付き長手袋の一実施例を示す斜視図、図２は図１の側面図、図３は他の実施例を示す斜視図である。
【実施例】
【００１２】
図１、２に示すように、本考案のメジャー付き長手袋１は、合成ゴムなどからなる手袋本体２と、手袋本体２の人差指部３から手の甲位置４に至る印である目盛り５と、人差指部３の側面位置に形成された印である目盛り６から構成されている。
【００１３】
目盛り５及び目盛り６はいずれも手袋本体２の表面に直接印刷して形成するか、或いは合成樹脂フィルムに予め目盛りを印刷したものを用いて貼着してあり、作業者が手袋本体２に手を挿入して指や手首を動かしても、その動作に従って屈曲できるようになっている。また、目盛り５及び６の寸法の正確さを要求する場合には耐熱収縮性の高い合成樹脂フィルム（例えばポリエステル樹脂フィルムなど）が選択されて使用される。尚、目盛り５及び６の間隔はとくに限定されず、作業の内容によってミリ単位やインチ単位が選択され、また色や大きさも視認しやすいものが使用される。
【００１４】
上記の構成からなる本考案のメジャー付き長手袋１を使用して花卉の球根の定植作業を行なうと、２人の作業者が同時に作業を行なって、例えば一方の作業者が早く作業を終了しても他の作業者の作業が終了するまで作業を中断する必要がないため、時間のロスがなくなり効率的な作業が行なえる。また、一定の寸法の目盛りが付いた長手袋を使用するため、個人差が出ることがなく均一な定植作業となる。
【００１５】
図３は他の実施例を示す斜視図であり、手袋本体２の人差指部３から手の甲位置４に至る印である目盛り７は予め手袋本体２の製造時に一定間隔に凸形状を形成したものであり、上記実施例と同様に使用することが可能であり、しかも目の不自由な作業者であっても指先の感覚で位置を確認できるものである。尚、本実施例においてメジャー付き長手袋に使用する素材として、合成ゴムとしているが、通常の農作業に使用されるものでよく、必要に応じた素材の使用が可能である。
【００１６】
以上、本考案によるメジャー付き長手袋によれば、指先端部位置から手首方向に至る面及び人差指部の側面位置に、一定間隔の印を設けたため巻尺などを使用することなく測定作業を容易に作業を行なうことができる。しかも、農作業などの手作業をしながらが球根の植え付け間隔の確認ができる。
【図面の簡単な説明】
【００１７】
【図１】本考案に係るメジャー付き長手袋の一実施例を示すである。
【図２】図１の側面図である。
【図３】他の実施例を示す斜視図である。
【符号の説明】
【００１８】
１          メジャー付き長手袋
２          手袋本体
３          人差指部
４          手の甲位置
５、６，７  目盛り
【図１】
0003132420.tif 000003
【図２】
0003132420.tif 000004
【図３】
0003132420.tif 000005
(57)【要約】【課題】コンパクトな蓋立てを提供する。【解決手段】２本の棒の上部に突起や設ける。【選択図】図１
0003132478.tif 000002
【実用新案登録請求の範囲】
【請求項１】
フタ立て
【考案の詳細な説明】
【技術分野】
【０００１】鍋の蓋や皿、菜ばし、お玉、包丁などを置く器具に関するものである。
【背景技術】
【０００２】従来鍋ややかんの蓋は適当な置物が無くテーブルの上などに直接置いていた為場所をとっている。又包丁箸、お玉も適当な置き場所がなくて困っていた。
【考案の開示】
【考案が解決しようとする課題】
【０００３】解決しようとする課題は、蓋等を簡単に立てかけるコンパクトな器具を提供することである。
【課題を解決するための手段】
【０００４】その方法を図を示しながら説明すると、図１の２本の棒Ｉの上面に突起２を設ける。
【考案の効果】本考案によれば大小色々な形をした蓋がコンパクトに立てることが出来、菜ばしや包丁、お玉なども置くことが出来便利である。
【考案を実施するための最良の形態】
【０００５】真ん中が凹んでいるベース部に蓋などを立てかける突起を設ける。
【実施例】
【０００６】考案の実施の形態例について説明すると、図１は棒１に突起２を設けた物である。【０００７】この突起に蓋８を立てかける。【０００８】この突起２の間隔を狭くすると高さが蓋の半径より短くしておいても蓋は倒れる事は無い。【０００９】２本の棒１を離してあるので丸い蓋を立てても、蓋の外周が棒１に当たり転げ落ちることが無い。
このようにしておくと棒の幅を狭めることが出来、非常にコンパクトに出来る。
この棒の代わりに蓋立ての下部に溝や穴を設けても良い。【００１０】溝３を設けると突起の上に菜ばしなどを置いた時転がり落ちない。
又突起２を高くしても溝を深く大きくしておいてやれば蓋のつまみが入り込むので小さな蓋も上手く置ける。【００１１】図１のように棒１を突起より外側に長くしておくと蓋が大きくててもバランスが崩れず倒れることが無い。【００１２】この棒１のはみ出した部分の上に箸やお玉包丁などを乗せることも出来る。【００１３】突起２に穴４を設けておくと菜ばしなどを立てることも出来る。【００１４】切れ込み６を設けておくと箸などがより転がらなくなる。【００１５】図４のような容器を設けると蓋立てから落ちた滴を受ける事ができ周りが汚れない。【００１６】突起７を設けるとフタ立ても汚れない。【００１７】突起２を複数設けると複数の蓋を立てることが出来、皿なども立てかけることが出来る。
【産業上の利用可能性】丸い物をコンパクトに収納することが出来る。
【図面の簡単な説明】
【００１８】
【図１】２本の棒の上に突起を設け棒が両サイドにはみ出すようにしてある図である。
【図２】蓋を立てかけた図である。棒が片方だけ長くしてある。
【図３】棒に凸凹を設け突起に切れ込みや穴を備えた物の図である。
【図４】底面より少し高くした突起を持つ汁受けの図である。
【図５】ベース部の凸と蓋との位置関係を示す図である。ベース部は中央を少し低くしてある。
【図９】棒に突起を設けさらに上面に突起を設けたものの図である。
【符号の説明】
１  棒  ２  突起  ３  溝  ４  穴  ５  切れ込み  ６  滴受け突起  ８  蓋
【図１】
0003132478.tif 000003
【図２】
0003132478.tif 000004
【図３】
0003132478.tif 000005
【図４】
0003132478.tif 000006
【図５】
0003132478.tif 000007
【手続補正書】
【提出日】平成18年12月1日(2006.12.1)
【手続補正１】
【補正対象書類名】実用新案登録請求の範囲
【補正対象項目名】全文
【補正方法】変更
【補正の内容】
【実用新案登録請求の範囲】
【請求項１】
平行に置いた２本の棒をフタの半径より低い複数の板状突起で連結したフタ立てであり、棒が転倒防止のため突起よりはみ出している事を特徴とする。
【手続補正２】
【補正対象書類名】明細書
【補正対象項目名】００１８
【補正方法】変更
【補正の内容】
【００１８】
【図１】２本の棒の上に突起を設け棒が両サイドにはみ出すようにしてある図である。
【図２】蓋を立てかけた図である。棒が片方だけ長くしてある。
【図３】棒に凸凹を設け突起に切れ込みや穴を備えた物の図である。
【図４】底面より少し高くした突起を持つ汁受けの図である。
【図５】棒の変わりに中央部を凹ませた時の蓋とベース部の位置関係を示す図である。
【符号の説明】
１  棒  ２  突起  ３  溝  ４  穴  ５  切れ込み  ６  転がり防止切れ込み  ７  汁受け皿突起  ８  汁受け皿  ９  蓋
【手続補正３】
【補正対象書類名】図面
【補正対象項目名】全図
【補正方法】変更
【補正の内容】
【図１】
0003132478.tif 000008
【図２】
0003132478.tif 000009
【図３】
0003132478.tif 000010
【図４】
0003132478.tif 000011
【図５】
0003132478.tif 000012
【手続補正書】
【提出日】平成19年3月9日(2007.3.9)
【手続補正１】
【補正対象書類名】実用新案登録請求の範囲
【補正対象項目名】全文
【補正方法】変更
【補正の内容】
【実用新案登録請求の範囲】
【請求項１】
平行に置いた２本の棒をフタの半径より低い複数の板状突起で連結し棒が転倒防止のため突起よりはみ出しているフタ立て。
(57)【要約】同記述【課題】上記同じ。【選択図】図なし〔パリ条約における優先権対象国〕日本、ＥＵ、ＡＵ、ＡＰＥＣ、アメリカ合衆国、カナダ  チリ  メキシコ、イスラエル、ポルトガル、ノルウェー、スウェーデン  フィンランド、インド、インドネシア、カンボジア、タイ王国、フィリピン、ＡＳＥＡＮ＋３、ペルー、イラク、イラン、アイスランド、エジプト、トルコ、アルゼンチン  ブラジル、中華人民共和国、台湾、大韓民国、ネパール、ベトナム  ミャンマー、ウルグアイ、キューバ、ＮＡＦＴＡ、朝鮮民主主義人民共和国、ロシア連邦  スリランカ、ベリーズ、マレー、シンガポール、ベトナム  アフガニスタン  スイス、オーストリア、バチカン、カザフスタン、ウズベキスタン  グルジア  ＣＩＳ、サウジアラビア、リトアニア、ラトビア、エストニア、ＡＰＦＣ  ＭＦＲＣＯＳＵＲ、ＮＡＦＴＡ、ＢＲＩＣｓ、スリランカ、リヒテンシュタイン、ラオス、ミャンマー、バングラディシュ、ルーマニア、旧ユーゴ諸国、〔出願日〕同年同月同日【実用新案登録請求の範囲】
【請求項１】
従来の車は目で確認するのは前方とよくて左右だけ  そこで車の死角となる横や前、後ろなどに（横は四方向・上左右、後ろ左右）などでカーナビのようなもので全方向をチェックするのである。例えば、後ろ横からきたバイクなどの死角でもセンサー（人間熱で反応）が関知すればカーナビのようなモニターに写り、警告音声やブザーなど鳴れば接触事故も防げるし  後方もカメラで確認したり、幅の狭い道をカメラで確認しながら通ったり、またよくあるトラックの陰から前進してきたバイクなども熱センサーで知らせブレーキがかかれば事故は起きない  カーナビは、ＧＰＳやＴＶ、ＤＶＤ、など当たり前で、まず自分の運転する車で事故を起こさない様にセンサーで管理し、前方の車間距離も狭ければ自動でブレーキが少し
0003132474.tif 000002
【考案の詳細な説明】
【技術分野】
【０００１】この発明は、おもに車に関するものである。
【考案の開示】
【考案が解決しようとしている課題】
【０００２】上記同じ。人身事故などを防ぐシステムである。
【考案が解決しようとする課題】
【０００３】上記同じ。
【考案の効果】
【０００４】上記同じ。
0003132474.tif 000003
【手続補正書】
【提出日】平成18年8月31日(2006.8.31)
【手続補正１】
【補正対象書類名】実用新案登録請求の範囲
【補正対象項目名】全文
【補正方法】変更
【補正の内容】
【実用新案登録請求の範囲】
【請求項１】
車の安全システムで赤外線センサーにより人身事故を防ぐため、自動ブレーキや警報音ナビによるもので事故を防ぐ。
【手続補正２】
【補正対象書類名】明細書
【補正対象項目名】全文
【補正方法】変更
【補正の内容】
【考案の詳細な説明】
【技術分野】
【０００１】  車に関するもの
【考案が解決しようとしている課題】
【０００２】  車の安全システムで赤外線センサーにより人身事故を防ぐため、自動ブレーキや警報音ナビによるもので事故を防ぐ。
【考案が解決しようとしている課題】
【０００３】  車の安全システムで赤外線センサーにより人身事故を防ぐため、自動ブレーキや警報音ナビによるもので事故を防ぐ。
【考案の効果】
【０００４】  車の安全システムで赤外線センサーにより人身事故を防ぐため、自動ブレーキや警報音ナビによるもので事故を防ぐ。
【図面の簡単な説明】
【０００５】
【図１】  車とセンサー
【手続補正３】
【補正対象書類名】図面
【補正対象項目名】全図
【補正方法】変更
【補正の内容】
0003132474.tif 000004
【手続補正書】
【提出日】平成18年11月30日(2006.11.30)
【手続補正１】
【補正対象書類名】明細書
【補正の内容】
0003132474.tif 000005
0003132474.tif 000006
0003132474.tif 000007
0003132474.tif 000008
0003132474.tif 000009
(57)【要約】【課題】缶ビール等あるいはコップに注がれた飲み物を飲んでいると、最初は冷たく冷えていても直ぐに緩くなり、美味しくないなあと思う事が度々あった。その問題を解決するため、何とか簡単に保冷を維持し、長時間美味しく飲める方法はないかと考えた結果、アイスボックス等で使用する保冷剤の形状を、缶、コップ等を包み込むような形状にしてコースターとして使用することにより簡易に保冷出来るようにする。【解決手段】アイスボックス等で利用する保冷剤を、本体１のような形状して、事前に本体１全体を冷凍庫で凍結することにより、保冷剤（高吸水性ポリマー、増粘剤等）が入っている部分３の保冷効果により、飲んでいるコップ等、缶ビール等５を置く場所２に置くことにより、飲みながらにして簡易に保冷することを可能とした。【選択図】図３
0003132480.tif 000002
【実用新案登録請求の範囲】
【請求項１】
缶ジュース類、缶ビール類及び瓶類のジュース、ビール等々を缶のまま、あるいはコップに注がれた飲んでいる途中のそれらの飲み物を、保冷剤を利用した、包み込むような形状で、簡易に保冷するコースター。
【請求項２】
従来の保冷剤を利用したアイスボックスの様な容器による保冷ではなく、飲んでいる途中の飲み物をテーブル等の上で簡易に保冷するコースター。
【考案の詳細な説明】
【考案の開示】
【考案が解決しようとする課題】
【０００１】気温が高い日などに、冷たく冷えた缶ジュース、缶ビール等を飲んでいると短時間で緩くなり、本来の美味しさを楽しめない問題があった。
【問題を解決するための手段】
【０００２】長時間、外気温にさらされても冷えた状態が持続するように、アイスボックス等で使用する保冷剤の形状を、缶、コップ等を包み込むような形状にしてコースターとして使用することにより簡易に保冷出来るようにした。
【考案の効果】
【０００３】保冷剤の保冷効果により、ある程度の間、缶ジュース、缶ビール等を冷たい状態を簡易に保つことが出来、日差しの強い海水浴場等の野外の行楽地においても、おいしく飲むことが可能となる。
【実施例】
【０００４】キャンプ場でのバーベキュー時に缶ビールを飲む場合、あるいは、熱帯夜の中で飲む晩酌の缶ビール等を簡易に保冷することができ、おいしく飲むことができる。
【図面の簡単な説明】
【０００５】
【図１】考案した簡易に保冷するコースター本体
【図２】考案した簡易に保冷するコースター断面図
【図３】考案したコースターが飲み物を保冷をしている状態を示す図
【符号の説明】
【０００６】１  考案したコースター本体
２  保冷するものを置く場所
３  保冷するための保冷剤が入っている部分
４  考案したコースター本体断面図
５  保冷する缶ビール（例）
６  缶ビールが簡易に保冷されている状態
【図１】
0003132480.tif 000003
【図２】
0003132480.tif 000004
【図３】
0003132480.tif 000005
【手続補正書】
【提出日】平成19年1月15日(2007.1.15)
【手続補正１】
【補正対象書類名】実用新案登録請求の範囲
【補正対象項目名】請求項２
【補正方法】削除
【補正の内容】
【手続補正書】
【提出日】平成19年3月28日(2007.3.28)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
缶ジュース類、缶ビール類及び瓶類のジュース、ビール等々を缶のまま、あるいはコップに注がれた飲んでいる途中のそれらの飲み物を、保冷剤を利用した、包み込むような形状で、簡易に保冷するコースター。
(57)【要約】【課題】シート用の継手を作ること【解決手段】継手として機能できるようにするため、上、下、天地、左右を制御できるようにするため、天地、左右は斜めを肴する凹と凸、上下を制御するためにｘとｘ’、ｙとｙ’、ｚとｚ’を設ける。これによってシート状の物に継手機能をもたせることができる。【選択図】図３
0003132477.tif 000002
【実用新案登録請求の範囲】
【請求項１】
斜めイ、ロを有する凹と、ハ、ニを有する凸とｘ、ｘ’、ｙ、ｙ’、ｚ、ｚ’を有する継手
【考案の詳細な説明】
【技術分野】
【００１】  本考案はシート状の物における継手に関するものである。
【背景技術】
【００２】  シート状の物における継手はみあたらない。
【考案が解決しようとする課題】
【００３】  構造によってシート状の物に適した継手にすること。
【課題を解決するための手段】
【００４】  継手は作用する部分において、天地、左右、上下を制御する機能を有することなので、その構造を図面とともに説明します。
図１において、斜めイ、ロを有する凹と、ハ、ニを有する凸によって、天地、左右を制御できる構造にします。
図２において、αとβを貼合してγ、α’とβ’を貼合してγ’とします。
図３において、ｚ’はｚの上にのり、ｙ’はｙの上にのり、ｘ’はｘの上にのり、（γ’）、（γ）のように継手によって継いだ状態になります。
【考案を実施するための最良の形態】
【００５】  紙等で作る等身大看板は人より大きな象でも作ることができる。
【考案の効果】
【００６】  シート状の材料でも継手本来の機能を発揮することができるので、より大きな物、より長い物を作り出すことができる。
【図面の簡単な説明】
【図１】  天地、左右の制御図
【図２】  上下の制御図
【図３】  継手の機能図
【符号の説明】
イ．      凹部切片
ロ．      凹部切片
ハ．      凸部切片
ニ．      凸部切片
α．      展開図
β．      展開図
α’．    展開図
β‘．    展開図
γ．      構造図
γ’．    構造図
（γ）．  継手図
（γ’）．継手図
【図１】
0003132477.tif 000003
【図２】
0003132477.tif 000004
【図３】
0003132477.tif 000005
【手続補正書】
【提出日】平成18年12月11日(2006.12.11)
【手続補正１】
【補正対象書類名】実用新案登録請求の範囲
【補正対象項目名】全文
【補正方法】変更
【補正の内容】
【実用新案登録請求の範囲】
【請求項１】
イ、ロを有するαとハ、ニを有するβを貼合し、イ、ロ、ハ、ニを継手領域にしたもの。
【手続補正書】
【提出日】平成19年2月27日(2007.2.27)
【手続補正１】
【補正対象書類名】実用新案登録請求の範囲
【補正対象項目名】全文
【補正方法】変更
【補正の内容】
【実用新案登録請求の範囲】
【請求項１】
下層に凸部、上層に凹部を設け、同形の継手を裏返しで差し込み、シートの復元力によって上、下を押さえ込み嵌合する二層構造のシートの継手。
(57)【要約】【課題】  運搬中でも水漏れすることなく、素焼き鉢内に収容した菌床栽培用培地に適度な湿気を保持しつつ、かつ適度な通気性も有するきのこ栽培容器を提供する。【解決手段】  小容量の素焼き鉢２内にきのこの種菌を接種した菌床栽培用培地３を収容し、全体を非通気性フィルム４で包み、該非通気性フィルム４に小孔５を設け、通気性シート６を該小孔５に重ね合わせた状態で非通気性フィルム４に密着固定してなる。【選択図】  図１
0003132409.tif 000002
【実用新案登録請求の範囲】
【請求項１】
小容量の素焼き鉢内にきのこの種菌を接種した菌床栽培用培地を収容し、全体を非通気性フィルムで包み、該非通気性フィルムに小孔を設け、通気性シートを該小孔に重ね合わせた状態で前記非通気性フィルムに密着固定してなることを特徴とするきのこ栽培容器。
【請求項２】
非通気性フィルムは熱可塑性樹脂からなるフィルムであり、通気性シートは熱可塑性樹脂繊維から構成された不織布シートである請求項１記載のきのこ栽培容器。
【考案の詳細な説明】
【技術分野】
【０００１】
本考案は、素焼き鉢内に収容した菌床栽培用培地に適度な湿気を保持しつつ、かつ適度な通気性も有するきのこ栽培容器に関する。
【背景技術】
【０００２】
家庭内できのこの成育状態を観察することができるきのこ栽培装置として、上薬を塗らないで焼いた素焼きの鉢に菌床栽培用培地を入れ込み、底と周壁に空間が設けられている二重鉢の開口縁に素焼きの鉢の開口縁を気密に嵌合し、前記空間で蒸発する水蒸気が素焼きの鉢の周壁に浸透してから素焼きの鉢内の培地を湿すようにしたきのこ栽培装置が知られている（特許文献１）。
【０００３】
かかるきのこ栽培装置は、家庭内に設置してきのこの成育状態を観察する際には便利であるが、販売時二重鉢の空間部に水を入れた状態では、運搬時に揺れたり転倒したりすると、水が漏れてしまう。このため、二重鉢に水を入れた状態で販売することはできない。
しかし、鉢内の菌床栽培用培地には適度な湿気と通気性を確保する必要がある。
【特許文献１】特開２００２−３３０６２９号公報
【考案の開示】
【考案が解決しようとする課題】
【０００４】
そこで、本考案は、運搬中でも水漏れすることなく、素焼き鉢内に収容した菌床栽培用培地に適度な湿気を保持しつつ、かつ適度な通気性も有するきのこ栽培容器を提供することを目的とする。
【課題を解決するための手段】
【０００５】
上記課題を解決するために、本考案によるきのこ栽培容器は、小容量の素焼き鉢内にきのこの種菌を接種した菌床栽培用培地を収容し、全体を非通気性フィルムで包み、該非通気性フィルムに小孔を設け、通気性シートを該小孔に重ね合わせた状態で前記非通気性フィルムに密着固定してなること、を特徴としている。
ここで、非通気性フィルムは熱可塑性樹脂からなるフィルムであり、通気性シートは熱可塑性樹脂繊維から構成された不織布シートであることが好ましい。
【考案の効果】
【０００６】
本考案によるきのこ栽培容器によれば、小容量の素焼き鉢内にきのこの種菌を接種した菌床栽培用培地を収容し、全体を非通気性フィルムで包み、該非通気性フィルムに小孔を設け、通気性シートを該小孔に重ね合わせた状態で前記非通気性フィルムに密着固定してなるので、素焼き鉢内に収容した菌床栽培用培地に適量の水分を与えておけば適度な湿気を保持できるとともに、小孔部と通気性シートを介して通気性も有するため、菌床栽培用培地をきのこの成育にとり長時間に亘って好ましい環境に保持できる。また、運搬中に水漏れすることもない。
また、非通気性フィルムを熱可塑性樹脂からなるフィルムとし、通気性シートを熱可塑性樹脂繊維から構成された不織布シートとすれば、非通気性フィルムと通気性シートとを市販のヒートシール装置で簡単にシール（接合）できる。
【考案を実施するための最良の形態】
【０００７】
以下、本考案を実施するための最良の形態を図面に基づいて具体的に説明する。図１は本考案の実施例によるきのこ栽培容器の縦断面図、図２は図１の平面図である。
【０００８】
本考案の実施例によるきのこ栽培容器１は、上薬を塗らないで焼いた素焼きの鉢２内に菌床栽培用培地３を収容し、加熱殺菌した後、種菌を接種し、適度な湿気を保持するように水分を与えた上で、全体を非通気性フィルム４で包み、非通気性フィルム４に小孔５を開け、通気性の不織布シート６を小孔５に重ね合わせた状態で非通気性フィルム４に、平面視四辺部をヒートシール７して接合したものである。
なお、図１においては、素焼きの鉢２を非通気性フィルム４で比較的窮屈な状態（素焼きの鉢２と非通気性フィルム４との間の空間が狭い状態）で包んだ様子を示してあるが、十分広い空間を確保しゆったりと包むようにしても勿論よい。
【０００９】
菌床栽培用培地３としては、例えばおがこと米糠を混ぜたものなどが用いられ、適当な水分を与えておく。
素焼き鉢２の寸法は、例えば、底部の内径Ａが５．５ｃｍ、開口部の内径Ｂが７ｃｍ、深さＨが４ｃｍで、容積は約１２０ｃｍ3 程度と小容量である。このように８０〜２００ｃｍ3 程度の小容量の容器では、開放状態では短時間の内に乾燥してしまう。このため、非通気性フィルム４で全体を包むことにより、乾燥を防ぎ、適度な湿気を保持できるようにする。
また、小孔部５と通気性シート部６を介して通気性も確保されている。小孔５の径は、適度な湿気と通気性を確保できる大きさであればよく、小孔５は１カ所でも複数カ所設けてもよい。
【００１０】
非通気性フィルム４としては、例えばポリエチレンフィルムなどの熱可塑性樹脂からなるものが好ましい。また、通気性シート６はポリエチレンやポリプロピレンなどの熱可塑性樹脂からなる繊維から構成された不織布シートが好ましい。このように、非通気性フィルム４及び通気性シート６に熱可塑性樹脂を用いることにより、通気性シート６を非通気性フィルム４に接合するのに、ヒートシールで簡単にできる。
【００１１】
家庭内できのこの成育を観賞するには、非通気性フィルム４及び通気性シート６で包まれた素焼き鉢２を取り出し、図３に示すように、二重鉢１０内に嵌合し、二重鉢１０の空間部１１に水を入れ、また二重鉢１０の上端開口部に、一部に通気孔１２を設けた透明なキャップ１３を被せる。内部に適度な湿気を保持しつつ通気性も確保して、きのこの成育状態を観察することができる。
なお、内鉢の底部には通水孔１４を開けてある。素焼き鉢２は水蒸気は通すがバクテリアなどの雑菌は通さない。二重鉢１０の空間部１１に入れた水が水蒸気となって素焼き鉢２の周壁に浸透して菌床栽培用培地３に供給される。
【図面の簡単な説明】
【００１２】
【図１】本考案の実施例によるきのこ栽培容器の縦断面図。
【図２】図１の平面図。
【図３】家庭内での使用状態を示す縦断面図。
【符号の説明】
【００１３】
１  きのこ栽培容器
２  素焼き鉢
３  菌床栽培用培地
４  非通気性フィルム
５  小孔
６  通気性シート
７  ヒートシール部
【図１】
0003132409.tif 000003
【図２】
0003132409.tif 000004
【図３】
0003132409.tif 000005
(57)【要約】【課題】  型枠保持具のセパレータの両端部にＰコンを容易に取り付けられると共に構造が簡単であって、製作も容易なコーン取付工具を提供する。【解決手段】  モーター１７で回転する棒状回転体１０の上部内に、コーンの締付ねじ７及びその付け根部２２を容易に挿入できる受孔１１を設けると共に回転体１０の上端部外周はコーン３の周壁内側面２３に係合し得る円すい状の斜面１２に形成してあり、回転体１０の外側にはコーン周壁の広径側を嵌入し得る外筒１３を装着し、該外筒と回転体上部間には上端に座金１４を具えたスプリング１５を嵌装してなる型枠保持具のコーン取付工具である。【選択図】  図１
0003132838.tif 000002
【実用新案登録請求の範囲】
【請求項１】
モーターで回転する棒状回転体の上部内に、コーンの締付ねじ及びその付け根部を容易に挿入できる受孔を設けると共に回転体の上端部外周はコーン周壁内面に係合し得る斜面に形成してあり、回転体の外側にはコーン周壁の広径側を嵌入し得る外筒を装着し、該外筒と回転体上部間には上端に座金を具えたスプリングを嵌装してなる型枠保持具のコーン取付工具。
【請求項２】
棒状回転体の上部内に、コーンの締付ねじ及びその付け根部を容易に挿入できる受孔を設けると共に回転体の上端部外周はコーン周壁内面に係合し得る斜面に形成してあり、回転体の外側にはコーン周壁の広径側を嵌入し得る外筒を装着し、該外筒と回転体上部間には上端に座金を具えたスプリングを嵌装し、 底部に駆動モーターを設置した受皿中央部に軸孔を設け、該軸孔周縁部に上記外筒下端部を装着すると共に軸孔内のモーター駆動軸に上記回転体下端部を連結してなる型枠保持具のコーン取付工具。
【考案の詳細な説明】
【技術分野】
【０００１】
本考案は、建築工事におけるコンクリート型枠を固定するための保持具に係るものであって、保持具のセパレータ両端ねじ部にコーンを取付ける工具に関するものである。
【背景技術】
【０００２】
従来、建築工事におけるコンクリート型枠を一定間隔で固定するためには、図４及び図５で示すように、セパレータ１の両端ねじ部２にプラスチック製コーン３（Ｐコン）を取り付けた保持具４を、対向して立設された型枠５、５間に設け、型枠外側に設けた支持棒６を型枠５から突出している締付ねじ７側にナット８を取付けて固定することが一般に行われている。
而して、セパレータ１にコーン３を取付けるには、セパレータの両端部に設けたねじ部２に、コーンのねじ孔９を手作業で一々螺着していた。
【特許文献１】特許第３５７１８４１号
【考案の開示】
【考案が解決しようとする課題】
【０００３】
しかし、大型のビルの建築工事等では多数の保持具を必要とするため、従来のように手作業で行うことは、作業上大変手間取ると共に作業能率を低下させていた。
そこで本考案では、セパレータの両端部にＰコンを容易に取り付けられると共に作業能率を大幅に増大できるようにし、合せて構造が簡単であって、製作も容易な工具を提供しようとするものである。
【課題を解決するための手段】
【０００４】
本考案にかかる型枠保持具のコーン取付工具は、棒状回転体の上部内に、コーンの締付ねじ及びその付け根部を容易に挿入できる受孔を設けると共に回転体の上端部外周はコーン周壁内面に係合し得る円すい状の斜面に形成してあり、回転体の外側にはコーン周壁の広径側を嵌入し得る外筒を装着し、該外筒と回転体上部間には上端に座金を具えたスプリングを嵌装し、 底部に駆動モーターを設置した受皿中央部に軸孔を設け、該軸孔周縁部に上記外筒下端部を装着すると共に軸孔内のモーター駆動軸に上記回転体下端部を連結して構成した。
【考案の効果】
【０００５】
本考案に係る工具を使用すると、型枠保持金具のセパレータ両端ねじ部に、コーンを容易に取付けられると共に、作業能率を大幅に増大できるものである。而して、構造も簡単であって容易に製作でき、使用上も安全である。
更に請求項２記載のように、受皿を設けると、受皿内に相当量のセパレータやコーンを入れて置き取付作業ができるので大変便利である。
【実施例１】
【０００６】
次に添付図面に従って、本考案の実施例を詳説する。
図１乃至図３において、１０は棒状の回転体であって、その上部内にはコーン３の締付ねじ７及びその付け根部２２を容易に挿入できる受孔１１を設けると共に回転体１０の上端部外周はコーン周壁の内側面２３に係合し得る円すい状の斜面１２に形成してある。
回転体１０の外側には、コーン周壁の広径側を嵌入し得る外筒１３を装着し、その外筒１３と回転体１０上部間には上端に座金１４を具えたコイル状スプリング１５を嵌装してある。
１６は底部に駆動モーター１７を設置した受皿であって、受皿中央部に設けた軸孔周縁部１８に前記外筒１３下端部を装着すると共に軸孔内のモーター駆動軸１９に前記回転体１０の下端部を連結してある。
【０００７】
本考案に係る工具の使用方法につき述べると、モーター１７を作動して、回転体１０を回転状態にしておき、コーン３の締付ねじ７側を外筒１３上端部内に入れて、コーン周縁部を座金１４上に載置すると共に締付ねじ７及び根付部２２を回転体の受孔１１に挿入する。
而して、コーンのねじ孔９にセパレータの一方の端部を、スプリング１５を圧縮するようにして押し込むと、コーン周壁の内側面２３が回転体の上端部円すい状の斜面１２に接触すると同時に摩擦により伝動してコーン３が回転し、セパレータ端部のねじ部２がねじ孔９に螺着する。
次に、セパレータ１の反対側の端部に別のコーン３を取り付けるには、前記セパレータの下端部に取り付けたコーン３が座金１４上に乗っている状態でセパレータ１の上端部に別のコーンのねじ孔９を合わせて押し下げると、端部のねじ部２とコーンのねじ孔９とが螺着する。而して、セパレータ１を持ってコーン３を引き出すとスプリング１５は座金１４と共に復帰する。
【図面の簡単な説明】
【０００８】
【図１】セパレータを押し込む前の縦断画面である。
【図２】セパレ−タを押し込んだ状態の縦断画面である。
【図３】工具全体の側断面図である。
【図４】保持具の側面図である。
【図５】保持具の使用状態の概略図である。
【符号の説明】
【０００９】
１０    回転体
１１    受孔
１２    斜面
１３    外筒
１４    座金
１５    スプリング
１６    受皿
１７    モーター
１８    受孔周縁部
１９    駆動軸
２３    コーン周壁の内側面
【図１】
0003132838.tif 000003
【図２】
0003132838.tif 000004
【図３】
0003132838.tif 000005
【図４】
0003132838.tif 000006
【図５】
0003132838.tif 000007
(57)【要約】【課題】雪の壁や積雪層を除去する際に、スコップ本体の先端縁の面圧を高くして突き刺し易くするとともに、上下方向に剪断してすくい上げし易いスコップを提供すること。【解決手段】スコップ本体１の先端縁に複数個の凹溝４を配設するとともに、凹溝４の底縁９と各凹溝４により残置された先端縁６に下面側から上面に向かう上り勾配の傾斜面１０を形成する。【選択図】  図１
0003132899.tif 000002
【実用新案登録請求の範囲】
【請求項１】
スコップ本体と、該スコップ本体に一端を接合する柄と、該柄の他端に接合する取手とから成るスコップにおいて、
前記スコップ本体の先端縁に複数個の凹溝を配設するとともに、該凹溝の底縁と、各凹溝間及び左右端部凹溝のそれぞれの左右端に残置される先端縁に下面側から上面に向かう上りの傾斜面を形成して成るスコップ。
【考案の詳細な説明】
【技術分野】
【０００１】
本考案は、除雪のための手道具としてのスコップに関する。
【背景技術】
【０００２】
圧雪状態の雪に突き刺し雪をすくい上げて除去するスコップとして、実用新案登録第３１２２５１４号公報（特許文献１）に先行技術が提案されている。
該先行技術は、スコップ本体の先端縁に一対の辺を有する山形部が複数個一列に並んで配置されるもので、山形部の先端には5mmの僅かな平坦面が形成され、山形部の一対の辺は互いに同一長さでそのなす角度は60°であり、しかも隙間なく互いに隣接して配置され、その数は連結棒の中心線に対して対称に７個配置され、その一つは連結棒の中心線上にその先端が配置される、とするものである。
したがって、この先行技術に開示されたスコップは、アイスバーンに突き刺して亀裂を発生させるには有効であるが、雪に突き刺して大量の雪をすくい上げるためにスコップ本体全体を差し込もうとすると、各山形部間のＶ溝に左右の辺から雪がＶ溝の中心に向けて寄せられ、それが突き進めるときの抵抗になり軽くすくい込むことができないという問題がある。
【特許文献１】実用新案登録第３１２２５１４号公報
【考案の開示】
【考案が解決しようとする課題】
【０００３】
本考案は上記に鑑みて、しまり雪状態に積雪した雪を除去し易いように、雪の壁や積雪層に水平或いは上方から斜下方に向けて突き刺す際に、スコップ本体の先端縁の面圧を高くして突き刺し易くするとともに、上下方向に剪断してすくい上げし易いスコップを提供する。
【課題を解決するための手段】
【０００４】
本考案のスコップはスコップ本体と、該スコップ本体に一端を接合する柄と、該柄の他端に接合する取手とから成るスコップにおいて、
前記スコップ本体の先端縁に複数個の凹溝を配設するとともに、該凹溝の底縁と、各凹溝間及び左右端部凹溝のそれぞれの左右端に残置される先端縁に下面側から上面に向かう上りの傾斜面を形成して成る。
【考案の効果】
【０００５】
本考案のスコップによれば、スコップ本体の先端縁は適当数の凹溝で切り欠かれているから、雪の壁や積雪層に突き刺す際の先端縁にかかる面圧が高くなって突き刺し易くなり、各凹溝は平行溝であるから、Ｖ溝と異なり左右一対の各辺から相互に干渉するような抵抗が発現しないから差し込む際の抵抗が少なく、常に先行する先端縁は凹溝の左右辺による切断を伴って先行し、先端縁と凹溝の底縁には傾斜面が形成されるから、各先端縁と凹溝において別々に積雪層を上下に剪断するため、一層すくい易くなる効果がある。
【考案を実施するための最良の形態】
【０００６】
スコップ本体の先端縁に配設される凹溝は、先端縁の全幅260mmに対して幅20mm、深さ15mmの４個であり、各凹溝間及び左右端部凹溝のそれぞれの左右端に残置される先端縁の凹溝の辺との隅角部に円弧状の面取り部を配設するとともに、前記各先端縁には3乃至5mmの下面側から上面に向かう上りの傾斜面を形成する。
【実施例】
【０００７】
本考案を実施例により説明すると、図１に示すようにスコップＡは、スコップ本体１と該本体１に一端を接合し、他端に取手２を設けた柄３とから成るスコップにおいて、スコップ本体１の先端縁に幅20mm、深さ（奥行き）15mmの４個の凹溝４がそれぞれ35mm間隔で配設され、各凹溝４間に形成される突部５には先端縁６の左右の隅角部に図３に示すように、円弧状の面取り部７を形成し、左右端に配設される突部５aにはそれぞれ内方の隅角部に前記と同様の円弧状の面取り部７が形成され、各外方にはそれぞれの側縁８に向けて所要角度で立ち上げた傾斜線８aが形成され、突部５、５aの先端縁６及び凹溝４の底縁９にはそれぞれ図２に示すように、3mmの長さに渡って下面側から上面に向かう上り勾配の傾斜面１０が形成されて成る。
【０００８】
したがって、本考案のスコップＡをしまり雪状態の積雪層に差し込んだとき、差し込み瞬間は部分的な突部５、５aの先端縁６が切り込みに関与するから、同一押し込み力による全幅面一の先端縁における面圧に比して先端縁６での面圧が高くなって切り込み易くなり、凹溝４の底縁９による切り込み時に至っては、その左右は突部５の側縁５b（凹溝４の一対の辺）によって切断された状態であるから、凹溝４に入り込んだ積雪層は上下に剪断され易く、突部５、５aの先端縁６と凹溝４の底縁９が同時に切り込みに関与しても切断された側縁５bを隔てて関与するから、前記したように全幅面一の先端縁を同時に切り込み関与させる場合に比して凹溝４における剪断作用によって差し込みが容易となり、突部５、５aの先端縁６と凹溝４の底縁９に形成される傾斜面１０によって上下への剪断作用の相乗効果によって一層差し込み易くなり、しまり雪を除去し易くなる。
【産業上の利用可能性】
【０００９】
本考案のスコップは主として雪の除去に使用されるもので、余り力を要さずにしまり雪状態の雪を除去できるから、積雪寒冷地向けの除雪用手道具としてその需要が大いに期待される。
【図面の簡単な説明】
【００１０】
【図１】本考案のスコップＡの正面図。
【図２】図１のスコップＡにおけるスコップ本体１のＡ−Ａ矢視拡大断面図。
【図３】スコップ本体１の凹溝４と突部５の部分拡大説明図。
【符号の説明】
【００１１】
１：スコップ本体
２：取手
３：柄
４：凹溝
５、５a：突部
５b：側縁
６：先端縁
７：面取り部
８：側縁
８a：傾斜縁
９：底縁
１０：傾斜面
Ａ：スコップ
【図１】
0003132899.tif 000003
【図２】
0003132899.tif 000004
【図３】
0003132899.tif 000005
(57)【要約】【課題】  葬式等でお供えする果物や飾り花を並べる盛籠の台に関する。従来の盛籠用の台は、一体化され木材等で作られておりコストも高で廃棄処理するのに困難であった。簡単に組み立てや処分ができ、住宅事情を考慮した省スペースで処分しやすいディスプレイ用の台座と飾り箱を提供する。【解決手段】背台と補強部の2枚のダンボールにそれぞれに4箇所の切込みを入れ、お互いを差込む構造とした組み立て式ディスプレイ用台座で、商品の詰合せ部及び飾り花取り付け部もダンボールで作成したので、本考案に係る組み立て式ディスプレイ用台座は、以上のように構成する事により、手軽に組み立てや処分ができ、住宅事情を考慮した省スペースで処分しやすいディスプレイ用の台座と飾り箱を提供することができた。【選択図】図１
0003132861.tif 000002
【実用新案登録請求の範囲】
【請求項１】
略台形状の底辺両端部に切り込み部を間隔を有して成る背台と、同背台の切り込み箇所に相対する差込部を有する補強部から成ることを特徴とする組み立て式ディスプレイ用の台座。
【請求項２】
商品の詰合せ部及び飾り花取り付け部をダンボールで作成することを特徴とする請求項１に記載の組み立て式ディスプレイ用台座の飾り箱。
【請求項３】
上記背台の上辺両端から上記底辺まで垂直に折込み線を設けたことを特徴とする請求項１に記載の組み立て式ディスプレイ用の台座。
【考案の詳細な説明】
【技術分野】
【０００１】
本考案は葬式等でお供えする果物や飾り花を並べる盛籠の台に関する。
【背景技術】
【０００２】
従来の盛籠用の台は、一体化され木材や金具を使用したもの等で作られていた。
【考案の開示】
【考案が解決しようとする課題】
【０００３】
従来の盛籠用の台は、一体化され木材や金具を使用したもの等で作られておりコストも高く廃棄処理するのに困難であった。
【０００４】
簡単に組み立てや処分ができ、住宅事情を考慮した省スペースで処分しやすいディスプレイ用の台座を提供すること。
【課題を解決するための手段】
【０００５】
本考案は、略台形状の底辺両端部に間隔を有して切り込み部を複数設けた背台と、同背台の切り込み箇所に相対する差込部を有する補強用ダンボールとから構成したことを特徴とする組み立て式ディスプレイ用の台座であって、背台と補強部の2枚のダンボールからなり、前記2枚のダンボールにそれぞれに4箇所の切込みを入れ、お互いを差込む構造とした組み立て式ディスプレイ用の台座で、前記台座に乗せ掛ける商品の詰合せ部及び飾り花取り付け部もダンボールで作成した。さらに上記背台の上辺両端から上記底辺まで垂直に折込み線を設けたことにより確実に組み立てができ、前記台座に詰合せの商品や飾り花を乗せ掛けても組み立て式ディスプレイ用の台座が安定して倒れることが皆無な組み立て式ディスプレイ用の台座を提供できた。
【考案の効果】
【０００６】
本考案に係る組み立て式ディスプレイ用の台座及び飾り箱は、以上のように構成する事により、手軽に組み立てや処分ができ、住宅事情を考慮した省スペースで処分しやすいディスプレイ用の台座及び飾り箱を提供することができた。
【考案を実施するための最良の形態】
【０００７】
本考案は、背台と補強部の2枚のダンボールにそれぞれに4箇所の切込みを入れ、お互いを差込んで組み立てる組み立て式ディスプレイ用の台座で、容易に処分ができ、住宅事情を考慮した省スペースで処分しやすいディスプレイ用の台座及び飾り箱である。
【実施例】
【０００８】
本考案に係る組み立て式ディスプレイ用台座及び飾り箱を図１から図5を参照して以下説明する。図2に図示する如く背台1の上辺両端から底辺まで垂直に設けた破線状の2本の折込み線1ｃにあわせ9０度に折り曲げ、切り込み1ｂに図3に図示の補強部2の切り込み2ｂを差し込み、図3に図示の折込み線2ｃにあわせて90度折り込んだ。ここまでの経過を図4図示説明した。
【０００９】
更に、補強部2は図3に図示する補強部2の破線状の折込み線2ｄに添って90度折り曲げた後、図3に図示する切り込み2ａを背台1の側部稜線1ｄに沿わせ、補強部2の折込み線2ｅ・2ｆにあわせて順次折り込みながら背台1の切り込み１ａに差し込んだ。
【００１０】
図5に図示する如く飾り箱の装飾枠3ａに造花等で飾り付けを施し詰合せ部3ｂに霊前に
供えする商品、例えば、果物や缶詰などを詰合せたものを図1に示す組み立て式ディスプ
レイ用のダンボール台座Ａに乗せ掛けた。
【図面の簡単な説明】
【００１１】
【図１】本考案に係る組み立て式ディスプレイ用台座を示す外観図
【図２】ダンボール台座の背台を示す平面図
【図３】ダンボール台座の補強部を示す平面図
【図４】組み立て式ディスプレイ用台座の展開図
【図５】ディスプレイ用台に乗せ掛ける飾り箱外観図
【符号の説明】
【００１２】
Ａ・・・・・・・・・ダンボール台座
１・・・・・・・・・ダンボール台座の背台
１ａ,１ｂ・・・・・  背台切り込み
１ｃ・・・・・・・・背台折れ線
１ｄ・・・・・・・・背台側部稜線
２・・・・・・・・・ダンボール台座の補強部
２ａ,２ｂ  ・・・・・補強部の切り込み
２ｃ,２ｄ,２ｅ,2ｆ・・補強部の折れ線
３・・・・・・・・・飾り箱
３ａ・・・・・・・・飾り箱の装飾枠
３ｂ・・・・・・・・飾り箱の詰合せ部
【図１】
0003132861.tif 000003
【図２】
0003132861.tif 000004
【図３】
0003132861.tif 000005
【図４】
0003132861.tif 000006
【図５】
0003132861.tif 000007
(57)【要約】【課題】  のりもの（鉄道・自動車・飛行機・船）の安全運転を音声出力のアラームによりチェックしてから始動できる安全運転のりもの。【解決手段】  のりもののキースイッチ２、を入力することにより電源１、が入力され電子制御音声出力装置３、の音声出力が始まり、「飲酒運転禁止」「免許携帯義務」「スピード遵守」他の運転手自身によるselfcheckを行ってから、運転中止又は、運転続行始動の判断による安全運転のりもの。【選択図】          図１
0003132866.tif 000002
【実用新案登録請求の範囲】
【請求項１】
電源、キースイッチ、電子制御音声出力装置で、音声出力の回路を構成した安全運転のりもの。
【考案の詳細な説明】
【技術分野】
【０００１】
本考案は、従来の安全運転のりものとしての電子制御音声出力装置を具備した安全運転のりものに関する。
【背景技術】
【０００２】
電子制御音声出力装置を具備した安全運転のりものは、音声出力スイッチをＯＮ、ＯＦＦして運用しているものである。
【考案の開示】
【考案が解決しようとする課題】
【０００３】
しかしながら、のりもの（鉄道・自動車・飛行機・船）が始動するキー入力と同時に音声出力できる安産運転のりものではなかった。
【０００４】
本考案は、上記実情に鑑みてなされたものであり、始動するキー入力と電源により同時に音声出力できる電子制御音声出力装置を具備した安全運転のりものとする事を目的としている。
【課題を解決するための手段】
【０００５】
上記目的を達成するため考案は、従来の電子制御音声出力装置を音声出力するためのスイッチをのりものの電源を入力する回路の構成としてキー入力を入力スイッチとする安全運転のりものである。
【考案の効果】
【０００６】
本考案により、のりものの電源入力のキー入力により電子制御音声出力装置の音声出力を同時に始め、「飲酒運転禁止」他のアラームを運転手がチェックしてから運転中止又は、運転続行始動の判断行動ができる。
【考案を実施するための最良の形態】
【０００７】
本考案の実施の形態の一例について、図面を参照しながら説明する。
安全運転のりのもは図1に示すように、
電源１、キースイッチ２、電子制御音声出力装置３、で構成されるもので、のりものの運転手が、のりものの電源１、の入力のためにキー入力２、をスイッチ入力すると、電子制御音声出力装置３、の音声出力が始まり、「飲酒運転禁止」「免許不携帯」他のチェックをする事が可能である。
【図面の簡単な説明】
【０００８】
【図１】図1は、電源１、キースイッチ２、電子制御音声出力装置３で構成されるのりもののキー入力により、点検アラームが音声出力される回路である安全運転のりものです。
【符号の説明】
【０００９】
１      電源
２      キースイッチ
３      電子制御音声出力装置
【図１】
0003132866.tif 000003